【手続補正書】
【提出日】平成25年8月2日(2013.8.2)
【手続補正１】
【補正対象書類名】特許請求の範囲
【補正対象項目名】全文
【補正方法】変更
【補正の内容】
【特許請求の範囲】
【請求項１】
第一の電極と、第二の電極と、前記第一の電極と前記第二の電極との間に配置された１つの発光層を有する有機発光素子であって、
基板上に、前記第一の電極、前記１つの発光層、前記第二の電極の順に形成され、
前記発光層はホストおよび複数の発光ドーパントを含み、
前記複数の発光ドーパントの吸収ピークのエネルギー差が０．２ｅＶ以内であり、
前記複数の発光ドーパントの内、最も短波長に発光する発光ドーパントの発光ピークと吸収ピークのエネルギー差と、他の発光ドーパントの発光ピークと吸収ピークのエネルギー差とが異なることを特徴とする有機発光素子。
【請求項２】
前記発光層中の第１の発光ドーパントは発光層中で濃度勾配を有し、その濃度の最も高い部分が発光層表面側に存在し、他の２つのドーパントは吸収ピークのエネルギー差が０．２ｅＶ以内であり、発光ピーク位置が異なることを特徴とする請求項１に記載の有機発光素子。
【請求項３】
前記発光層中の発光ドーパントは下記一般式（１）で表わされることを特徴とする請求項１又は２に記載の有機発光素子。
【化１】
2013026341.tif 000001
一般式（１）において、Ａｒ１、Ａｒ２は芳香族炭化水素基または芳香族複素環を表す。
Ａｒ１、Ａｒ２は水素原子または下記の一般式（２）であらわされる置換基を有する。Ｍは周期律表における第８、９または１０族の元素を表す。ｍ、ｎは１〜３の整数を表す。
Ｌは配位子を表し、下記の置換基で置換されていてもよく、該置換基は、水素原子、炭素数４〜１５のアルキル基、炭素数１〜５のアルコキシ基、炭素数１〜５のアシル基、炭素数３〜６のフルオロアルキル基、下記の一般式（２）で表わされる置換基のいずれかである。
【化２】
2013026341.tif 000002
一般式（２）において、Ｒ１は水素原子または置換基を表し、該置換基は、水素原子、炭素数１〜５のアルキル基、炭素数１〜５のアルコキシ基、炭素数１〜５のアシル基、炭素数１〜６のフルオロアルキル基のいずれかである。
【請求項４】
第一の電極と、第二の電極と、前記第一の電極と前記第二の電極との間に配置された１つの発光層を有し、
基板上に、前記第一の電極、前記１つの発光層、前記第二の電極の順に形成され、前記発光層はホストおよび複数の発光ドーパントを含み、
前記複数の発光ドーパントの吸収ピークのエネルギー差が０．２ｅＶ以内であり、
前記複数の発光ドーパントの内、最も短波長に発光する発光ドーパントの発光ピークと吸収ピークのエネルギー差と、他の発光ドーパントの発光ピークと吸収ピークのエネルギー差とが異なる有機発光素子と、前記有機発光素子を駆動する駆動回路とを有することを特徴とする光源装置。
【請求項５】
前記発光層中の第１の発光ドーパントは発光層中で濃度勾配を有し、その濃度の最も高い部分が発光層表面側に存在し、他の２つのドーパントは吸収ピークのエネルギー差が０．２ｅＶ以内であり、発光ピーク位置が異なることを特徴とする請求項４に記載の光源装置。
【請求項６】
前記発光層中の発光ドーパントは下記一般式（１）で表わされることを特徴とする請求項４又は５に記載の光源装置。
【化３】
2013026341.tif 000003
一般式（１）において、Ａｒ１、Ａｒ２は芳香族炭化水素基または芳香族複素環を表す。Ａｒ１、Ａｒ２は水素原子または下記の一般式（２）であらわされる置換基を有する。Ｍは周期律表における第８、９または１０族の元素を表す。ｍ、ｎは１〜３の整数を表す。
Ｌは配位子を表し、下記の置換基で置換されていてもよく、該置換基は、水素原子、炭素数４〜１５のアルキル基、炭素数１〜５のアルコキシ基、炭素数１〜５のアシル基、炭素数３〜６のフルオロアルキル基、下記の一般式（２）で表わされる置換基のいずれかである。
【化４】
2013026341.tif 000004
一般式（２）において、Ｒ１は水素原子または置換基を表し、該置換基は、水素原子、炭素数１〜５のアルキル基、炭素数１〜５のアルコキシ基、炭素数１〜５のアシル基、炭素数１〜６のフルオロアルキル基のいずれかである。
【請求項７】
有機溶媒と、ホスト物質と、複数種の発光ドーパントを含む発光層形成用塗液であって、
前記複数の発光ドーパントの吸収ピークのエネルギー差が０．２ｅＶ以内であり、前記複数の発光ドーパントの内、最も短波長に発光する発光ドーパントの発光ピークと吸収ピークのエネルギー差と、他の発光ドーパントの発光ピークと吸収ピークのエネルギー差とが異なることを特徴とする有機発光層形成用塗液。
【請求項８】
前記有機発光層形成用塗液は、バインダーを含むことを特徴とする請求項７記載の有機発光層形成用塗液。
【請求項９】
前記発光層中の発光ドーパントは下記一般式（１）で表わされることを特徴とする請求項７に記載の有機発光層形成用塗液。
【化５】
2013026341.tif 000005
一般式（１）において、Ａｒ１、Ａｒ２は芳香族炭化水素基または芳香族複素環を表す。
Ａｒ１、Ａｒ２は水素原子または下記の一般式（２）であらわされる置換基を有する。Ｍは周期律表における第８、９または１０族の元素を表す。ｍ、ｎは１〜３の整数を表す。
Ｌは配位子を表し、下記の置換基で置換されていてもよく、該置換基は、水素原子、炭素数４〜１５のアルキル基、炭素数１〜５のアルコキシ基、炭素数１〜５のアシル基、炭素数３〜６のフルオロアルキル基、下記の一般式（２）で表わされる置換基のいずれかである。
【化６】
2013026341.tif 000006
一般式（２）において、Ｒ１は水素原子または置換基を表し、該置換基は、水素原子、炭素数１〜５のアルキル基、炭素数１〜５のアルコキシ基、炭素数１〜５のアシル基、炭素数１〜６のフルオロアルキル基のいずれかである。
【請求項１０】
ホストと、複数の発光ドーパントを含む有機発光層材料であって、
前記複数の発光ドーパントの吸収ピークのエネルギー差が０．２ｅＶ以内であり、
前記複数の発光ドーパントの内、最も短波長に発光する発光ドーパントの発光ピークと吸収ピークのエネルギー差と、他の発光ドーパントの発光ピークと吸収ピークのエネルギー差とが異なることを特徴とする有機発光層材料。
【請求項１１】
前記ホストの質量基準で、複数のドーパントを合計で０．０００５〜５質量％及びバインダーを０〜５０質量％を含み、前記複数のドーパントの吸収ピークはほぼ同じ位置にあり、発光ピークがそれぞれ異なる位置にあることを特徴とする請求項１０に記載の有機発光層材料。
【請求項１２】
前記発光層中の発光ドーパントは下記一般式（１）で表わされることを特徴とする請求項１０に記載の有機発光層材料。
【化７】
2013026341.tif 000007
一般式（１）において、Ａｒ１、Ａｒ２は芳香族炭化水素基または芳香族複素環を表す。
Ａｒ１、Ａｒ２は水素原子または下記の一般式（２）であらわされる置換基を有する。Ｍは同期律表における第８、９または１０族の元素を表す。ｍ、ｎは１〜３の整数を表す。
Ｌは配位子を表し、下記の置換基で置換されていてもよく、該置換基は、水素原子、炭素数４〜１５のアルキル基、炭素数１〜５のアルコキシ基、炭素数１〜５のアシル基、炭素数３〜６のフルオロアルキル基、下記の一般式（２）で表わされる置換基のいずれかである。
【化８】
2013026341.tif 000008
一般式（２）において、Ｒ１は水素原子または置換基を表し、該置換基は、水素原子、炭素数１〜５のアルキル基、炭素数１〜５のアルコキシ基、炭素数１〜５のアシル基、炭素数１〜６のフルオロアルキル基のいずれかである。